(57)【特許請求の範囲】
【請求項１】
筐体内に空気を吸い込む空気吸込口と、筐体内から外部へ空気を吹き出す空気吹出口と、前記空気吸込口と前記空気吹出口とを連通させる通風路を備える本体部とを有し、
前記本体部内に、取り込んだ空気を除塵する集塵ユニットと送風機とを備えた空気清浄機であって、
前記本体部には、前記集塵ユニットを前記本体部内における前記空気吸込口側に配置するための支持部材が備えられ、
前記支持部材には切欠部が設けられ、
前記集塵ユニットの前方に、前記空気吸込口から取り込まれた空気に含まれる塵埃を除去するためのプレフィルタが配置され、
前記プレフィルタは、塵埃を捕獲する網目部と、同網目部を保持する樹脂枠とで構成され、
前記切欠部における前記空気吸込口側を前記樹脂枠で覆うように、前記プレフィルタが配置されている、
ことを特徴とする空気清浄機。
【請求項２】
前記集塵ユニットの側面には、前記切欠部の位置に対応して配置され前記集塵ユニット内部に向けて凹状に形成された指掛け部を備える、
ことを特徴とする請求項１に記載の空気清浄機。
【請求項３】
前記集塵ユニットは直方体形状に形成され、
前記支持部材は、前記集塵ユニットの上下側面あるいは左右側面のうち少なくともいずれか一方を支持する、
ことを特徴とする請求項１または請求項２に記載の空気清浄機。
【請求項４】
前記集塵ユニットが電気集塵機で構成され、
前記支持部材に、前記電気集塵機に給電する端子が設けられている、
ことを特徴とする請求項１乃至請求項３に記載の空気清浄機。
【発明の詳細な説明】
【技術分野】
【０００１】
本発明は、電気集塵機で構成される集塵ユニットを備えた空気清浄機に関する。
【背景技術】
【０００２】
従来、空気清浄機として、本体筐体内に設けられた送風機の駆動によって本体筐体内に吸い込んだ空気に含まれる塵埃や花粉等を、電気集塵機で集塵するものがある（例えば、特許文献１参照）。
【０００３】
特許文献１に記載の空気清浄機は、複数の樹脂パネルで形成される空気清浄機本体の最前面に吸込みグリルを配置し、空気清浄機本体の前面には収納凹部が形成されている。収納凹部には、空気清浄機本体の前面から背面に向かう順に、プレフィルタと、電気集塵エレメント（電気集塵機）と、脱臭フィルタとが収容されている。また、収納凹部の略中央部に吸込側開口が形成されており、吸込側開口の後方（背面側）に、吸込みグリルから収納凹部に取り込んだ室内空気をプレフィルタ、電気集塵エレメント、および、脱臭フィルタに通過させる送風ファンが配置されている。
【０００４】
一般的に、電気集塵機は、放電電極と集塵電極とを有し、放電電極による放電により塵埃や花粉等を帯電させ、帯電した塵埃や花粉等を集塵電極で捕集する。従って、集塵電極には捕集した塵埃や花粉等が堆積するので、電気集塵機は定期的（例えば、１カ月に１回程度）に洗浄を行い集塵電極に堆積した塵埃や花粉等を除去する必要がある。このため、電気集塵機は空気清浄機本体から簡易に着脱できることが望ましい。
【０００５】
特許文献１に記載の空気清浄機では、電気集塵エレメントの上端面の略中央部に把手が取り付けられている。使用者が電気集塵エレメントを収納凹部から取り外すときは、電気集塵エレメントの把手をつかんで前方へ引き出すことで、電気集塵エレメントの上端側が前方へ傾斜して収納凹部から離脱する。次に、把手を斜め上方に引っ張り上げることによって、電気集塵エレメントを収納凹部から取り外す。このように、電気集塵エレメントに把手を設けることで、電気集塵エレメントの取り外し作業が簡易に行えるようになっている。
【先行技術文献】
【特許文献】
【０００６】
【特許文献１】特開平１０−９９７１８号公報
【発明の概要】
【発明が解決しようとする課題】
【０００７】
上述したように、特許文献１に記載の空気清浄機では、電気集塵エレメントに把手を設け、この把手をつかんで電気集塵エレメントを電気集塵機から簡易に取り外せるようにしている。しかし、電気集塵エレメントに把手を設ける必要があり、電気集塵エレメントの構造が複雑となるとともに、収納凹部の前方における把手と対応する箇所に、使用者が手を挿入できる大きな逃げ部を設ける必要があり、空気清浄機が大型化するという問題があった。
【０００８】
本発明は以上述べた問題点を解決し、集塵ユニットの着脱構造を簡単な構造とした空気清浄機を提供することを目的とする。
【課題を解決するための手段】
【０００９】
本発明は上述の課題を解決するものであって、本発明の空気清浄機は、筐体内に空気を吸い込む空気吸込口と、筐体内から外部へ空気を吹き出す空気吹出口と、空気吸込口と空気吹出口とを連通させる通風路を備える本体部とを有し、本体部内に取り込んだ空気を除塵する集塵ユニットと送風機とを備えている。そして、本体部には集塵ユニットを本体部内における空気吸込口側に配置するための支持部材が備えられ、支持部材には切欠部が設けられ、集塵ユニットの前方に、空気吸込口から取り込まれた空気に含まれる塵埃を除去するためのプレフィルタが配置される。さらに、プレフィルタは、塵埃を捕獲する網目部と、同網目部を保持する樹脂枠とで構成され、切欠部における空気吸込口側を樹脂枠で覆うように配置されている。
【発明の効果】
【００１０】
本発明の空気清浄機は、集塵ユニットの支持部材に切欠部が設けられているので、使用者は切欠部に露出している集塵ユニットの側面部を指で保持して集塵ユニットの着脱が行える。このため、集塵ユニットに把手を設けることなく、つまり、集塵ユニットの構造を簡単にしつつ集塵ユニットを簡易に着脱できる。また、集塵ユニットに把手を設けた場合に必要となる逃げ部も必要なく、空気清浄機の大型化を抑制できる。さらに、本発明の空気清浄機は、切欠部の前方を樹脂枠の一部（樹脂枠の左右側片部）で覆うようにプレフィルタを配置しているので、電気集塵機と切欠部との間の隙間へ流れる空気量を減らすことができる。
【図面の簡単な説明】
【００１１】
【図１】本発明の実施形態における、空気清浄機の外観斜視図である。
【図２】本発明の実施形態における、空気清浄機の上面図である。
【図３】図１におけるＸ−Ｘ断面図である。
【図４】図１におけるＹ−Ｙ断面図である。
【図５】本発明の実施形態における要部斜視図であり、集塵ユニットの配置説明図である。
【図６】本発明の実施形態における、集塵ユニットの着脱説明図である。
【図７】本発明の実施形態における、集塵ユニットを取り外した状態での正面図である。
【発明を実施するための形態】
【００１２】
以下、本発明の実施の形態を、添付図面に基づいて詳細に説明する。尚、本発明は以下の実施形態に限定されることはなく、本発明の主旨を逸脱しない範囲で種々変形することが可能である。
【実施例】
【００１３】
図１および図２に示すように、本発明の一実施形態である空気清浄機１は、各々合成樹脂材で成形された天面パネル１１ａ、右側面パネル１１ｂ、左側面パネル１１ｃ、底部１１ｄで略直方体状に形成された本体部１１を有し、本体部１１の一方の面に合成樹脂材で成形された前面パネル１２が配置され、他方の面に合成樹脂材で成形されたリアパネル１４が配置されている。尚、以降の説明において、必要に応じ本体部１１の前面パネル１２配置側を本体部前面側、本体部１１のリアパネル１４配置側を本体部背面側と称する。
【００１４】
前面パネル１２の前方には、合成樹脂材で成形されたフロントパネル１３が配置され、このフロントパネル１３と前面パネル１２との間に、本発明の空気吸込口である上面吸込口１３ａ、右側面吸込口１３ｂ、および左側面吸込口１３ｃが形成される。また、本体部１１とリアパネル１４との間に、本発明の空気吹出口である上面吹出口１４ａ、右側面吹出口１４ｂ、および左側面吹出口１４ｃが形成される。空気清浄機１では、上面吸込口１３ａ、右側面吸込口１３ｂ、および左側面吸込口１３ｃから本体部１１に吸い込んだ空気を、上面吹出口１４ａ、右側面吹出口１４ｂ、および左側面吹出口１４ｃから室内に吹き出す間に、空気の除塵・加湿および脱臭処理が行われるようになっている。
尚、図３および図４に示すように、上面吸込口１３ａ、右側面吸込口１３ｂ、および左側面吸込口１３ｃと、上面吹出口１４ａ、右側面吹出口１４ｂ、および左側面吹出口１４ｃとを連通する本体部１１内部の空間が、本発明の空気清浄機１における通風路１０となる。
【００１５】
空気清浄機１の上面部には、上面吸込口１３ａの一部を覆うように操作部１５が設けられている。操作部１５は、電源ボタンや運転モード切り換えボタン等の空気清浄機１を操作するボタンが配置されるとともに、空気清浄機１の運転状態や図示しない塵埃センサ等の検出器における検出結果を表示する表示部が配置されている。
【００１６】
図３に示すように、空気清浄機１の本体部１１内部の通風路１０には、上面吸込口１３ａ、右側面吸込口１３ｂ、および左側面吸込口１３ｃから上面吹出口１４ａ、右側面吹出口１４ｂ、および左側面吹出口１４ｃに向かって順に、プレフィルタ２１、集塵ユニット２２、脱臭ユニット２３、加湿ユニット２４、送風機２５が配置されている。
【００１７】
図３乃至図５に示すように、プレフィルタ２１は、例えば糸状のＰＥＴ材を編みこんで網目構造とした図示しない網目部が合成樹脂材で形成した樹脂枠２１ａで保持されて構成され、本体部１１内部に吸い込まれる空気に含まれる塵埃を捕集する。図４に示すように、プレフィルタ２１は、本体部前面側に向かって凸となるようなアーチ形状に形成されているので、プレフィルタ２１を平坦な形状とする場合と比べて、上面吸込口１３ａ、右側面吸込口１３ｂ、および左側面吸込口１３ｃから本体部１１内部に吸い込まれた空気がプレフィルタ２１を通過する面積が大きくなるので、より多くの塵埃を捕集することができる。
【００１８】
図３および図５に示すように、集塵ユニット２２は、第１電気集塵機２２ａと第２電気集塵機２２ｂとで構成されている。第１電気集塵機２２ａと第２電気集塵機２２ｂとは上下方向に並べて配置されている。第１電気集塵機２２ａおよび第２電気集塵機２２ｂは、図示しない放電電極と集塵電極とを有し、後述する仕切板１６に設けられた第１電気集塵機２２ａおよび第２電気集塵機２２ｂに対応する各端子からの給電を受ける。給電を受けた第１電気集塵機２２ａおよび第２電気集塵機２２ｂは、各々で放電電極によるコロナ放電によりプレフィルタ２１で捕集できなかった細かな塵埃や花粉等を帯電させ、帯電した塵埃や花粉等を集塵電極で捕集する。第１電気集塵機２２ａおよび第２電気集塵機２２ｂは、主に上述した放電電極や集塵電極、および、これらを収納する筐体で形成されているので、空気抵抗が小さい。尚、図５においては、集塵ユニット２２（第１電気集塵機２２ａおよび第２電気集塵機２２ｂ）が視認しやすいようにするために、フロントパネル１３の描画を省略している。
【００１９】
図６に示すように、第１電気集塵機２２ａの筐体の左右側面部における高さ方向の略中央部には、第１電気集塵機２２ａの左右側面から内部に向かって凹状に形成された第１指掛け部２２ｃが設けられている。また、第１電気集塵機２２ａと同様に、第２電気集塵機２２ｂの筐体の左右側面部における高さ方向の略中央部には、第２電気集塵機２２ｂの左右側面から内部に向かって凹状に形成された第２指掛け部２２ｄが設けられている。これら第１指掛け部２２ｃや第２指掛け部２２ｄは、例えば、金型により簡易に形成できるものであり、人の指が入る程度の大きさに形成されるとともに、各空気吸込口側に指が掛かる壁を形成できる位置に設けられる。尚、第１電気集塵機２２ａと第２電気集塵機２２ｂとで発揮できる集塵能力を１台の電気集塵機で実現することは可能であるが、そうすれば電気集塵機の重量が、電気集塵機を人の指で保持して空気清浄機１から着脱できる程度の重量（例えば、１ｋｇ程度）より重くなって、電気集塵機の取り扱い（本体部１１からの着脱作業等）が困難となる虞があるため、本実施形態では第１電気集塵機２２ａと第２電気集塵機２２ｂの２台の電気集塵機を設けている。
第１電気集塵機２２ａおよび第２電気集塵機２２ｂの本体部１１内部への収納方法や、本体部１１からの着脱方法については後述する。
【００２０】
図３および図４に示すように、脱臭ユニット２３は、脱臭フィルタ２３ａと加熱部２３ｆとを有する。図６に示すように、脱臭フィルタ２３ａは、例えば、平板材と波形に連続屈曲した屈曲材とを交互に積層してなる波形構造やハニカム構造のような多孔構造の基材を円板形状に形成してなり、その基材２３ａａに臭気成分を吸着して分解する触媒層２３ａｂを設けたものである。図３および図４に示すように、加熱部２３ｆは、ＰＴＣヒータ２３ｂと、２枚の放熱板２３ｃと、２個の断熱材２３ｄと、２個のケース２３ｅとで構成される。ＰＴＣヒータ２３ｂは、２枚の放熱板２３ｃのうち本体部前面側に配置された放熱板２３ｃに取り付けられて、２枚の放熱板２３ｃを加熱する。２枚の放熱板２３ｃは、各々が略三角形状に形成された金属板であり、図３および図４に示すように、脱臭フィルタ２３ａの一部を覆うように配置される。２枚の放熱板２３ｃは、脱臭フィルタ２３ａの中央部に位置する箇所や脱臭フィルタ２３ａの外径側で接触するように構成されているので、ＰＴＣヒータ２３ｂにより本体前面側に配置された放熱板２３ｃだけではなく、本体背面側の放熱板２３ｃも加熱される。断熱材２３ｄは、ＰＴＣヒータ２３ｂや放熱板２３ｃを覆うように配置されてＰＴＣヒータ２３ｂや放熱板２３ｃからの熱が外部に逃げることを抑制する。ケース２３ｅは、ＰＴＣヒータ２３ｂや放熱板２３ｃや断熱材２３ｄを保持できる形状に形成されている。
このように、脱臭フィルタ２３ａは多孔構造を有しており、また、加熱部２３ｆが脱臭フィルタ２３ａの一部のみ覆う構造となっているので、脱臭フィルタ２３ａの空気抵抗は小さい。
【００２１】
脱臭フィルタ２３ａの脱臭能力を再生するときは、ＰＴＣヒータ２３ｂにより２枚の放熱板２３ｃを加熱し、２枚の放熱板２３ｃにより覆われた脱臭フィルタ２３ａの一部を加熱する。図示しないモータによって脱臭フィルタ２３ａを回転させながら脱臭フィルタ２３ａを加熱することによって、脱臭フィルタ２３ａに吸着されていた臭気成分の分解が促進され、脱臭フィルタ２３ａの脱臭能力が再生される。尚、脱臭フィルタ２３ａが回転するのではなく、放熱板２３ｃが移動することによって脱臭フィルタ２３ａを加熱してもよい。また、脱臭ユニット２３は上記に限らず、加熱手段（ＰＴＣヒータ２３ｂおよび放熱板２３ｃ）を設けず、触媒層の代わりに活性炭のような臭気成分の吸着材を基材に添加した脱臭フィルタで脱臭ユニットを構成し、吸着能力が低下すれば新しい脱臭フィルタに交換するようにしてもよい。
【００２２】
加湿ユニット２４は、加湿フィルタ２４ａと水を貯留する貯水タンク２４ｂとを有する。加湿フィルタ２４ａは、円板形状に形成されてその一部が貯水タンク２４ｂに溜められた水に浸った状態で回転軸により回転可能に支持されており、図示しないモータにより回転するようになっている。尚、加湿ユニット２４は上記に限らず、回転によって水分を吸い上げる加湿フィルタ２４ａに代えて、毛細管現象によって水分を吸い上げる加湿フィルタであってもよい。
【００２３】
送風機２５は、ターボファン２５ａとファンモータ２５ｂとを有する。ターボファン２５ａは、合成樹脂材で形成されており、ファンモータ２５ｂの出力軸に接続されている。ファンモータ２５ｂは回転数可変であり、ファンモータ２５ｂが回転することでターボファン２５ａも回転し、ターボファン２５ａの回転によって、空気清浄機１内部へ空気が流入あるいは空気清浄機１内部から空気が流出する。
【００２４】
以上説明した構成を有する空気清浄機１において、使用者が操作部１５を操作して空気清浄機１の運転を開始すると、送風機２５が駆動するとともに、集塵ユニット２２の第１電気集塵機２２ａおよび第２電気集塵機２２ｂに通電が開始され、加湿ユニット２４の加湿フィルタ２４ａが回転を開始する。送風機２５が駆動すると、上面吸込口１３ａ、右側面吸込口１３ｂ、および左側面吸込口１３ｃから本体部１１内部に空気が吸い込まれる。
【００２５】
本体部１１内部に吸い込まれた空気は、１）通風路１０における脱臭ユニット２３の下部と加湿ユニット２４の上部とが前後方向に重なって配置される箇所では、プレフィルタ２１→集塵ユニット２２→脱臭ユニット２３→加湿ユニット２４の順に、２）通風路１０における脱臭ユニット２３の下部と加湿ユニット２４の上部とが前後方向に重なって配置されていない箇所では、プレフィルタ２１→集塵ユニット２２→脱臭ユニット２３の順に、または、プレフィルタ２１→集塵ユニット２２→加湿ユニット２４の順に、それぞれ流れて、上面吹出口１４ａ、右側面吹出口１４ｂ、および左側面吹出口１４ｃから空気清浄機１が設置された室内に吹き出される。
【００２６】
上記のように空気清浄機１内部の通風路１０を空気が通過する際に、プレフィルタ２１および通電されている集塵ユニット２２で塵埃や花粉が除去される。また、脱臭ユニット２３で臭気成分が除去されるとともに、加湿ユニット２４で加湿される。尚、上述したように、脱臭ユニット２３より各空気吸込口側に集塵ユニット２２が配置されているので、脱臭ユニット２３に流入する空気は塵埃や花粉等が除去されており、塵埃や花粉等によって脱臭ユニット２３の脱臭フィルタ２３ａが目詰まりすることがない。
【００２７】
次に、図３乃至図７を用いて、第１電気集塵機２２ａおよび第２電気集塵機２２ｂの本体部１１内部への収納方法、および、第１電気集塵機２２ａおよび第２電気集塵機２２ｂの本体部１１からの着脱方法について説明する。
【００２８】
まず、第１電気集塵機２２ａおよび第２電気集塵機２２ｂの本体部１１内部への収納方法について説明する。図３および図４に示すように、本体部１１の前面側と前面パネル１２との間には、本体部１１の一部を構成し通風路１０を仕切る仕切板１６が配置されている。図６および図７に示すように、仕切板１６には、集塵ユニット２２を支持する支持部材として、２つの側方支持部材と下方支持部材と上方支持部材とが設けられ、これら各支持部材によって、第１収納部１６ａや第２収納部１６ｂが形成されている。具体的には、第１収納部１６ａは、第１側方支持部材１６ａａと、第１下方支持部材１６ａｂと、第１上方支持部材１６ａｃと、第１指挿入部１６ｃと、第１上部端子１６ｅと、第１下部端子１６ｆと備えている。第２収納部１６ｂは、第２側方支持部材１６ｂａと、第２下方支持部材１６ｂｂと、第２上方支持部材１６ｂｃと、第２指挿入部１６ｄと、第２上部端子１６ｇと、第２下部端子１６ｈとを備えている。尚、第１指挿入部１６ｃと第２指挿入部１６ｄとが、本発明における切欠部である。
【００２９】
第１収納部１６ａは第１電気集塵機２２ａが収納されるスペースであり、図６および図７に示すように、脱臭ユニット２３の前面側に配置されている。第１収納部１６ａは、板状に形成されて水平に仕切板１６に配置される第１下方支持部材１６ａｂおよび第１上方支持部材１６ａｃと、板状に形成されて垂直に仕切板１６に配置される２つの第１側方支持部材１６ａａとで形成されている。第１下方支持部材１６ａｂの左右端部と左右の第１側方支持部材１６ａａの下端部とが接続されており、第１上方支持部材１６ａｃの左右端部と左右の第１側方支持部材１６ａａの上端部とが接続されている。第１側方支持部材１６ａａ、第１下方支持部材１６ａｂ、および第１上方支持部材１６ａｃで囲まれた空間は、第１電気集塵機２２ａの形状に対応した形状および寸法とされている。尚、第１収納部１６ａの背面側は脱臭ユニット２３に向けて開口されている。
【００３０】
第２収納部１６ｂは第２電気集塵機２２ｂが収納されるスペースであり、図６および図７に示すように、加湿ユニット２４の前面側に配置されている。第２収納部１６ｂは、板状に形成されて水平に仕切板１６に配置される第２下方支持部材１６ｂｂおよび第２上方支持部材１６ｂｃと、板状に形成されて垂直に仕切板１６に配置される２つの第２側方支持部材１６ｂａとで形成されている。第２下方支持部材１６ｂｂの左右端部と左右の第２側方支持部材１６ｂａの下端部とが接続されており、第２上方支持部材１６ｂｃの左右端部と左右の第２側方支持部材１６ｂａの上端部とが接続されている。また、第２側方支持部材１６ｂａ、第２下方支持部材１６ｂｂ、および第２上方支持部材１６ｂｃで囲まれた空間は、第２電気集塵機２２ｂの形状に対応した形状および寸法とされている。尚、第２収納部１６ｂの背面側は加湿ユニット２４に向けて開口されている。
【００３１】
第１指挿入部１６ｃは、左右の第１側方支持部材１６ａａにおける高さ方向の略中央部を人の指が入る程度の大きさに切り欠いて形成されている。これにより、第１電気集塵機２２ａを第１収納部１６ａに収納しているとき、第１電気集塵機２２ａの左右側面の一部が、第１指挿入部１６ｃの箇所で露出する。また、第２指挿入部１６ｄは、左右の第２側方支持部材１６ｂａにおける高さ方向の略中央部を人の指が入る程度の大きさに切り欠いて形成されている。これにより、第２電気集塵機２２ｂを第２収納部１６ｂに収納しているとき、第２電気集塵機２２ｂの左右側面の一部が、第２指挿入部１６ｄの箇所で露出する。
【００３２】
第１上部端子１６ｅおよび第１下部端子１６ｆは、第１電気集塵機２２ａに給電する一対の電極端子である。第１上部端子１６ｅは、左側の第１側方支持部材１６ａａにおける第１指挿入部１６ｃの上方に配置されており、第１下部端子１６ｆは、左側の第１側方支持部材１６ａａにおける左側の第１指挿入部１６ｃの下方に配置されている。第１上部端子１６ｅおよび第１下部端子１６ｆは、第１収納部１６ａに第１電気集塵機２２ａが収納されているとき、第１電気集塵機２２ａに設けられた図示しない受電用端子に各々接触する。
【００３３】
第２上部端子１６ｇおよび第２下部端子１６ｈは、第２電気集塵機２２ｂに給電する一対の電極端子である。第２上部端子１６ｇは、左側の第２側方支持部材１６ｂａにおける第２指挿入部１６ｄの上方に配置されており、第２下部端子１６ｈは、左側の第２側方支持部材１６ｂａにおける第２指挿入部１６ｄの下方に配置されている。第２上部端子１６ｇおよび第２下部端子１６ｈは、第２収納部１６ｂに第２電気集塵機２２ｂが収納されているとき、第２電気集塵機２２ｂに設けられた図示しない受電用端子に各々接触する。
【００３４】
また、第１収納部１６ａおよび第２収納部１６ｂには、上側止め部１６ｊと、中央止め部１６ｋと、下側止め部１６ｍとが設けられている。上側止め部１６ｊは、第１収納部１６ａの第１上方支持部材１６ａｃにおける左右方向の中央部に配置されている。中央止め部１６ｋは、第２収納部１６ｂの第２上方支持部材１６ｂｃにおける左右方向の中央部に配置されている。下側止め部１６ｍは、第２収納部１６ｂの第２下方支持部材１６ｂｂにおける左右方向の中央部に配置されている。図７に示すように、上側止め部１６ｊ、中央止め部１６ｋ、下側止め部１６ｍは、いずれも略直方体形状に形成されている。
【００３５】
次に、第１電気集塵機２２ａおよび第２電気集塵機２２ｂを、夫々空気清浄機１から取り外す場合の手順について、図５乃至図７を用いて説明する。図５に示すように、第１電気集塵機２２ａが第１収納部１６ａに、第２電気集塵機２２ｂが第２収納部１６ｄに、各々収納されているとき、上側止め部１６ｊ、中央止め部１６ｋ、下側止め部１６ｍは、各々の端部が第１電気集塵機２２ａの前面部や第２電気集塵機２２ｂの前面部に係合する位置に回動されている。具体的には、上側止め部１６ｊは、いずれか一端が第１電気集塵機２２ａの前面部上側に係合するよう回動され、中央止め部１６ｋは、一端が第１電気集塵機２２ａの前面部下側に、他端が第２電気集塵機２２ｂの前面部上側に各々係合するように回動され、下側止め部１６ｍは、いずれか一端が第１電気集塵機２２ａの前面部下側に係合するように回動される。これにより、第１電気集塵機２２ａが第１収納部１６ａから前方方向に抜け出すことや、第２電気集塵機２２ｂが第２収納部１６ｂから前方方向に抜け出すことを防いでいる。
【００３６】
また、図４に示すように、第１電気集塵機２２ａが第１収納部１６ａに収納されているとき、第１電気集塵機２２ａに設けられた第１指掛け部２２ｃが第１指挿入部１６ｃから露出した状態となっている。また、第２電気集塵機２２ｂの第２指掛け部２２ｄが第２指挿入部１６ｄから露出した状態となっている。
【００３７】
第１電気集塵機２２ａおよび第２電気集塵機２２ｂを取り外すときは、まず、空気清浄機１からフロントパネル１３とプレフィルタ２１とを取り外し、次に、上側止め部１６ｊ、中央止め部１６ｋ、下側止め部１６ｍを、各々の端部が第１電気集塵機２２ａの前面部や第２電気集塵機２２ｂの前面部に係合しない位置に回動される。具体的には、まず、上側止め部１６ｊと中央止め部１６ｋとを、各々の端部が第１電気集塵機２２ａの前面部に係合しない位置まで回動させ、左右の第１指挿入部１６ｃから露出している第１電気集塵機２２ａの第１指掛け部２２ｃに指を掛けて前方へ引き抜いて、第１電気集塵機２２ａを第１収納部１６ａから取り外す。続いて、下側止め部１６ｍを端部が第２電気集塵機２２ｂの前面部に係合しない位置まで回動させ（中央止め部１６ｋは、上記第１電気集塵機２２ａの取り外しの際に回動済）、左右の第２指挿入部１６ｄから露出している第２電気集塵機２２ｂの第２収納部２２ｄに指を掛けて前方へ引き抜いて、第２電気集塵機２２ｂを第２収納部１６ｂから取り外す。
【００３８】
次に、第１電気集塵機２２ａおよび第２電気集塵機２２ｂを、夫々空気清浄機１に取り付ける場合の手順について説明する。まず、上側止め部１６ｊ、中央止め部１６ｋ、下側止め部１６ｍを、各々の端部が第１電気集塵機２２ａの前面部や第２電気集塵機２２ｂの前面部に係合しない位置、つまり、第１電気集塵機２２ａや第２電気集塵機２２ｂを第１収納部１６ａや第２収納部１６ｂに取り付ける際に邪魔にならない位置まで各々を回動させる。
【００３９】
次に、第１電気集塵機２２ａの第１指掛け部２２ｃを指で保持し、第１電気集塵機２２ａを第１収納部１６ａに挿入する。このとき、左右の第１指挿入部１６ｃがあるため、第１電気集塵機２２ａを保持している指が挿入作業の妨げとならない。
【００４０】
次に、第２電気集塵機２２ｂの第２指掛け部２２ｄを指で保持し、第２電気集塵機２２ｂを第２収納部１６ｂに挿入する。このとき、左右の第２指挿入部１６ｄがあるため、第２電気集塵機２２ｂを保持している指が挿入作業の妨げとならない。
【００４１】
第１電気集塵機２２ａおよび第２電気集塵機２２ｂを各々挿入した後、上側止め部１６ｊ、中央止め部１６ｋ、下側止め部１６ｍを、各々の端部が第１電気集塵機２２ａの前面部や第２電気集塵機２２ｂの前面部に係合する位置に回動させて、図５に示すような状態とし、第１電気集塵機２２ａの第１収納部１６ａから前方方向への抜け出し、および、第２電気集塵機２２ｂの第２収納部１６ｂから前方方向への抜け出しを防止する。そして、プレフィルタ２１とフロントパネル１３とを空気清浄機１に装着する。
【００４２】
以上説明したように、第１指挿入部１６ｃや第２指挿入部１６ｄに露出している第１電気集塵機２２ａの第１指掛け部２２ｃおよび第２電気集塵機２２ｂの第２指掛け部２２ｄに指を掛けて、第１収納部１６ａや第２収納部１６ｂから第１電気集塵機２２ａや第２電気集塵機２２ｂを取り外す、あるいは、第１収納部１６ａや第２収納部１６ｂに第１電気集塵機２２ａや第２電気集塵機２２ｂを収納できるので、第１電気集塵機２２ａや第２電気集塵機２２ｂの着脱作業が簡単に行える。また、第１電気集塵機２２ａおよび第２電気集塵機２２ｂの重量を、第１電気集塵機２２ａや第２電気集塵機２２ｂを人の指で保持して第１収納部１６ａや第２収納部１６ｂに着脱できる程度の重量としているので、第１電気集塵機２２ａや第２電気集塵機２２ｂを着脱する際の、第１電気集塵機２２ａや第２電気集塵機２２ｂの持ち運びが簡易となる。
【００４３】
また、集塵ユニット２５の集塵能力が本実施形態の空気清浄機１より低くてよい場合は、電気集塵機を１台とすればよく、また、本実施形態より高い集塵能力が必要な場合は、電気集塵機を３台以上設ければよい。このように、必要な集塵能力に応じて、人の指で保持して収納部に着脱できる程度の重量とした電気集塵機の台数を増減できることで、電気集塵機の着脱作業を簡易としつつ、必要とされる集塵能力にも柔軟に対応できる。
【００４４】
また、第１指挿入部１６ｃや第２指挿入部１６ｄが、第１側方支持部材１６ａａや第２側方支持部材１６ｂａに設けられているが、これらのうち左側の第１指挿入部１６ｃや第２指挿入部１６ｄは、第１側方支持部材１６ａａや第２側方支持部材１６ｂａにおける第１上部端子１６ｅ、第１下部端子１６ｆ、第２上部端子１６ｇ、および第２下部端子１６ｈが設けられている箇所以外の空スペースを利用して設けられている。このため、第１指挿入部１６ｃや第２指挿入部１６ｄを設けるために、空気清浄機１の筐体が大型化することがない。
【００４５】
尚、第１電気集塵機２２ａや第２電気集塵機２２ｂが、第１収納部１６ａや第２収納部１６ｂに収納されているとき、第１電気集塵機２２ａと第１指挿入部１６ｃとの間や、第２電気集塵機２２ｂと第２指挿入部１６ｄとの間には隙間が生じる虞があり、この隙間を通して第１電気集塵機２２ａや第２電気集塵機２２ｂを通過せずに脱臭ユニット２３や加湿ユニット２４に塵埃や花粉等が除去されていない空気が流れる虞がある。これに対して、図４および図５に示すように、第１指挿入部１６ｃや第２指挿入部１６ｄの前方を樹脂枠２１ａの一部（樹脂枠２１ａの左右側片部）で覆うようにプレフィルタ２１を配置して、上述した隙間へ流れる空気量が最小量となるようにしている。
【００４６】
以上説明した通り、本発明の空気清浄機は、集塵ユニットの支持部材に切欠部が設けられているので、使用者は切欠部に露出している集塵ユニットの側面部を指で保持して集塵ユニットの着脱が行える。このため、集塵ユニットに把手を設けることなく、つまり、集塵ユニットの構造を簡単にしつつ集塵ユニットを簡易に着脱できる。また、集塵ユニットに把手を設けた場合に必要となる逃げ部も必要なく、空気清浄機の大型化を抑制できる。
【００４７】
尚、以上説明した実施形態では、集塵ユニットを構成する電気集塵機が２台である場合について説明したが、電気集塵機は１台でもよく、また、３台以上であってもよい。また、仕切板１６に設けられる収納部は、電気集塵機の台数に応じて増減すればよい。また、電気集塵機２台を上下に並べて配置する場合について説明したが、電気集塵機を左右に並べて配置してもよい。電気集塵機を左右に並べて配置する場合は、収納部は左右に並べて仕切板１６に設けられることになり、このとき、指挿入部は収納部の上下側端部における左右方向の略中央部に設ければよい。
【符号の説明】
【００４８】
１  空気清浄機
１０  通風路
１１  本体部
１２  前面パネル
１３  フロントパネル
１３ａ  上面吸込口
１３ｂ  右側面吸込口
１３ｃ  左側面吸込口
１４  リアパネル
１４ａ  上面吹出口
１４ｂ  右側面吹出口
１４ｃ  左側面吹出口
１６  仕切板
１６ａ  第１収納部
１６ａａ  第１側方支持部材
１６ａｂ  第１下方支持部材
１６ａｃ  第１上方支持部材
１６ｂ  第２収納部
１６ｂａ  第２側方支持部材
１６ｂｂ  第２下方支持部材
１６ｂｃ  第２上方支持部材
１６ｃ  第１指挿入部
１６ｄ  第２指挿入部
１６ｅ  第１上部端子
１６ｆ  第１下部端子
１６ｇ  第２上部端子
１６ｈ  第２下部端子
１６ｊ  上側止め部
１６ｋ  中央止め部
１６ｇ  下側止め部
２１  プレフィルタ
２２  集塵ユニット
２２ａ  第１電気集塵機
２２ｂ  第２電気集塵機
２３  脱臭ユニット
２３ａ  脱臭フィルタ
２３ｂ  ＰＴＣヒータ
２３ｃ  放熱板
２３ｆ  加熱部
２４  加湿ユニット
２４ａ  加湿フィルタ
２４ｂ  貯水タンク
２５  送風機
２５ａ  ターボファン
２５ｂ  ファンモータ
【図１】
0006020842.tif 000002
【図２】
0006020842.tif 000003
【図３】
0006020842.tif 000004
【図４】
0006020842.tif 000005
【図５】
0006020842.tif 000006
【図６】
0006020842.tif 000007
【図７】
0006020842.tif 000008